(57)【要約】  エアバッグ装置は、車室内に設けられた収納部に上下方向に長い形態で収納され、車室内部の座席に着座する乗員の側部で膨張展開するエアバッグと、エアバッグの内部に膨張用のガスを噴射するインフレータと、エアバッグの収納部を覆い、上下方向に延びる開裂部を有するカバー部材とを備える。開裂部の上、下部には、開裂時の破断強度を中間部の破断強度よりも低くした低破断部が設けてある。
2020054207.tif 000002
【特許請求の範囲】
【請求項１】
車室内に設けられた収納部に上下方向に長い形態で収納され、車両緊急時に、前記車室に設置された座席に着座する乗員の側部で膨張展開するエアバッグと、
該エアバッグの内部に膨張用のガスを噴射するインフレータと、
前記エアバッグの収納部を覆い、上下方向に延びる開裂部を有するカバー部材とを備え、
前記開裂部の上、下部には、開裂時の破断強度を前記上、下部の間に位置する中間部の破断強度よりも低くした低破断部が設けられているエアバッグ装置。
【請求項２】
前記エアバッグの収納形態での長手方向は、前記開裂部の長手方向と同じ方向である請求項１に記載のエアバッグ装置。
【請求項３】
前記低破断部は、前記開裂部の上端部及び下端部を含む請求項１又は請求項２に記載のエアバッグ装置。
【請求項４】
前記低破断部は、前記開裂部の上半部の中央及び下半部の中央を含む請求項１又は請求項２に記載のエアバッグ装置。
【請求項５】
前記カバー部材は、樹脂製のカバー板であり、前記開裂部は、前記カバー板に形成された開裂溝である請求項１から請求項４のいずれか１つに記載のエアバッグ装置。
【請求項６】
前記低破断部は、前記開裂溝の深さを他部よりも深くしてある請求項５に記載のエアバッグ装置。
【請求項７】
前記低破断部は、前記開裂溝の幅を他部よりも大きくしてある請求項５に記載のエアバッグ装置。
【請求項８】
前記収納部は、車両の構造部材に固定された箱型のハウジングである請求項１から請求項７のいずれか１つに記載のエアバッグ装置。
【請求項９】
前記エアバッグ装置は、車両後部座席の車幅方向の側方に設けられたサイドエアバッグ装置である請求項１から請求項８のいずれか１つに記載のエアバッグ装置。
【請求項１０】
前記エアバッグ装置は、車両の運転席又は助手席の車幅方向の側方に設けられたサイドエアバッグ装置である請求項１から請求項８のいずれか１つに記載のエアバッグ装置。
【発明の詳細な説明】
【技術分野】
【０００１】
本発明は、車両に装備されるエアバッグ装置に関する。
【背景技術】
【０００２】
近年、多くの車両は、衝突時に乗員を保護することを目的としてエアバッグ装置を装備している。エアバッグ装置は、車室内の適宜位置に折り畳んで収納されたエアバッグと、車両の衝突時に動作し、エアバッグの内部にガスを噴射するインフレータとを備える。エアバッグは、インフレータの噴射ガスの作用により車室内で膨張展開する。乗員は、膨張展開したエアバッグに受け止められ、車室内の各部への衝突から保護される。【０００３】
特許文献１、２には、乗員が着座する座席の背もたれにエアバッグの収納部を設けたエアバッグ装置が開示されている。エアバッグは、車両の衝突時に座席の側部から前方に膨張展開し、座席に着座した乗員と車室の側壁との間に介在することで乗員を側面衝突から保護する。
【先行技術文献】
【特許文献】
【０００４】
【特許文献１】米国特許２０１０／０２５１９５０号公報
【特許文献２】特表２０００ー５１００７０号公報
【発明の概要】
【発明が解決しようとする課題】
【０００５】
以上の如きエアバッグ装置においては、座席に着座した乗員の全身、特に、頭部を確実に保護するために、上下方向に長いエアバッグを用い、該エアバッグの上部で乗員の頭部を、下部で乗員の脚部を受け止めるようにしている。【０００６】
特許文献１、２においてエアバッグは、収納部内で折り畳まれた状態から膨張し、背もたれの側面パネルの一部に設けた縫目を開裂して前方に展開する。従って、上下方向に長い所望の展開形状が得られるまでに時間を要し、例えば、乗員がシートベルトを装着していない状態、所謂、アウトオブポジションにある状態で衝突が発生した場合、エアバッグの上部及び下部の展開が遅れ、乗員の頭部、脚部の保護が不十分となる虞れがある。【０００７】
本開示の目的は、上下方向に長いエアバッグの速やかな展開を可能とし、乗員の保護機能を高め得るエアバッグ装置を提供することである。
【課題を解決するための手段】
【０００８】
本開示に係るエアバッグ装置は、車室内に設けられた収納部に上下方向に長い形態で収納され、車両緊急時に、前記車室に設置された座席に着座する乗員の側部で膨張展開するエアバッグと、該エアバッグの内部に膨張用のガスを噴射するインフレータと、前記エアバッグの収納部を覆い、上下方向に延びる開裂部を有するカバー部材とを備え、前記開裂部の上、下部には、開裂時の破断強度を前記上、下部の間に位置する中間部の破断強度よりも低くした低破断部が設けられている。【０００９】
本開示においてエアバッグは、車両緊急時にインフレータの噴射ガスの作用により膨張し、カバー部材の開裂部を破断させて車室内に展開する。開裂部の上、下部には低破断部が設けてあり、エアバッグの展開は、低破断部を起点として生じ、上下方向に長いエアバッグの展開形状を速やかに実現することができる。【００１０】
また、前記エアバッグの収納形態での長手方向は、前記開裂部の長手方向と同じ方向である。【００１１】
また、前記低破断部は、前記開裂部の上端部及び下端部、又は前記開裂部の上半部の中央及び下半部の中央を含む。【００１２】
エアバッグの展開は、カバー部材に設けた開裂部の上、下端部、又は上半部の中央及び下半部の中央を起点として生じ、上下方向に長いエアバッグの展開形状を速やかに実現することができる。【００１３】
また、前記カバー部材は、樹脂製のカバー板であり、前記開裂部は、前記カバー板に形成された開裂溝である。【００１４】
開裂部は、樹脂製のカバー板に形成された開裂溝であり、低破断部は、開裂溝の形成態様の変更によって実現し得る。【００１５】
また、前記低破断部は、前記開裂溝の深さを他部よりも深く、又は前記開裂溝の幅を他部よりも大きくしてある。【００１６】
低破断部は、開裂溝の深さ及び幅の一方又は両方を変えることにより連続的又は段階的に実現し得る。深さ及び幅の寸法管理により、低破断部の破断強度を高精度に設定することができる。【００１７】
また、車両の構造部材に固定された箱型のハウジングである。【００１８】
エアバッグは、ハウジングを支えとして膨張展開する。ハウジングは、車両の構造部材に固定されており、エアバッグは、強固な支えの下で確実に膨張展開し得る。【００１９】
更に、前記エアバッグ装置は、車両後部座席の車幅方向の側方に設けられたサイドエアバッグ装置、又は車両の運転席又は助手席の車幅方向の側方に設けられたサイドエアバッグ装置である。
【発明の効果】
【００２０】
本開示によれば、上下方向に長いエアバッグを速やかに展開させ、乗員の保護機能を高めることができる。
【図面の簡単な説明】
【００２１】
【図１】実施の形態１に係るエアバッグ装置を備える車両の後部座席の周辺を略示する正面図である。
【図２】実施の形態１に係るエアバッグ装置を備える車両の後部座席の周辺を略示する側面図である。
【図３】図２の III−III 線によるエアバッグ装置の断面図である。
【図４】エアバッグが展開した状態を示す側面図である。
【図５Ａ】エアバッグの展開開始状態の説明図である。
【図５Ｂ】エアバッグの展開開始状態の説明図である。
【図５Ｃ】エアバッグの展開開始状態の説明図である。
【図６】実施の形態２に係るエアバッグ装置を備える車両の内部を略示する側面図である。
【図７】図６の VII−VII 線によるエアバッグ装置の断面図である。
【図８】エアバッグが展開した状態を示す側面図である。
【発明を実施するための形態】
【００２２】
以下、本開示の実施の形態を図面に基づき説明する。なお、以下の説明で使用している車両の「上」、「下」、「上下」方向とは、車両の天井の中心と床の中心とを結ぶ線上での方向を示し、天井に向かう方向を「上」とし、床に向かう方向を「下」とする。また、車両の「前」、「後」、「前後」方向とは、車両の前進方向を「前」方向とし、車両の後進方向を「後」方向とする。更に、車両の幅方向とは、通常の座席が並んで配置される方向であり、「前後」方向と直交する方向である。
（実施の形態１）
図１は、実施の形態１に係るエアバッグ装置を備える車両の後部座席の周辺を略示する正面図、図２は、実施の形態１に係るエアバッグ装置を備える車両の後部座席の周辺を略示する側面図である。図１、図２には、車室１の床面１０上に設置された後部座席２と、該後部座席２に前方に向いて着座する乗員２０とが示されている。後部座席２は、座部２１と、該座部２１の後側から上向きに立ち上がる背もたれ２２とを備えており、乗員２０は、座部２１上にシートベルト２３を装着して着座する。
【００２３】
実施の形態１に係るエアバッグ装置３は、後部座席２と該後部座席２の一側のサイドドア１１との間に設けたサイドガーニッシュ１２の後側に配してある。図３は、図２の III−III 線によるエアバッグ装置３の断面図である。本図の上、下は、車両の前、後に対応する。
【００２４】
エアバッグ装置３は、ハウジング３０内に収納されたエアバッグ３１とインフレータ３２とを備える。エアバッグ３１の収納部としてのハウジング３０は、一面が開放された箱体であり、サイドガーニッシュ１２の後側に位置する車両の構造部材６、例えば、後輪のホイールハウスに固定ボルト３３によって固定されている。
【００２５】
エアバッグ３１は、例えば、ナイロン繊維等の高強度繊維の編み込みにより強化された布地製の袋体であり、適宜に折り畳まれてハウジング３０の内側に収納されている。エアバッグ３１の折り畳み形態は、図示の形態に限らず、蛇腹状、ロール状、又はこれらを合わせた形態等の他の形態であってもよい。インフレータ３２は、ハウジング３０の底部に固定され、エアバッグ３１の内部に膨張用のガスを噴射可能に連結されている。
【００２６】
ハウジング３０は、サイドガーニッシュ１２の後側で前向きに開口しており、この開口部は、サイドガーニッシュ１２の前面と面一をなすカバー板３４により覆われている。カバー板３４は、ハウジング３０よりも低強度の樹脂製の板であり、カバー板３４の内面には、車幅方向の略中央部に開裂溝３５が形成されている。図１に示すようにカバー板３４は、上下方向に長い矩形形状を有しており、開裂溝３５は、図１中に破線により示すように、乗員２０が着座する後部座席２側の縁部近傍に、上下方向の全長に亘って形成されている。なお、図３に示す開裂溝３５は、カバー板３４の内面に形成されているが、カバー板３４の外面に形成されてもよい。カバー板３４とハウジング３０とは、例えば、カバー板３４に設けた窓孔（ウインドウ）にハウジング３０に設けた係合フック３８をフックアンドウインドウの形式で引っ掛けることにより結合されている。
【００２７】
インフレータ３２は、車両の衝突等の緊急時に動作し、エアバッグ３１の内部にガスを噴射する。エアバッグ３１は、インフレータ３２の噴射ガスの作用により爆発的に膨張する。エアバッグ３１の膨張圧力は、ハウジング３０を支えとしてカバー板３４に作用し、エアバッグ３１は、開裂溝３５を破断してカバー板３４を押し広げ、前方に向けて展開する。
【００２８】
図４は、エアバッグが展開した状態を示す側面図である。本図に示すようにエアバッグ３１は、サイドガーニッシュ１２の前面から前方に向けて膨張展開し、後部座席２に着座した乗員２０と図の手前側に位置するサイドドア１１との間に介在して乗員２０を側面衝突から保護する。エアバッグ３１は、上下方向に長い展開形状を有しており、乗員２０の頭部を上部で、乗員２０の少なくとも腰部を下部で夫々受け止め、乗員２０の身体を確実に保護し得るように構成されている。なお、図示の展開形状は、エアバッグ３１を構成するパネルの形状、並びにエアバッグ３１内に架設する形状保持部材（内部テザー）の数及び配置を適切に設定することにより実現され得る。
【００２９】
図５は、エアバッグ３１の展開開始状態の説明図である。本図の上下は、車両の上下に対応する。図５Ａには、エアバッグ３１の膨張開始前のカバー板３４が示されている。カバー板３４に前述の如く形成された開裂溝３５の形状は、上、下部と中間部とで相違しており、例えば、図示の如くＶ字溝の形態をなす開裂溝３５の深さ及び／又は幅が、上、下部において中間部よりも大きくしてある。図５Ａには、開裂溝３５の幅の相違が示されている。この形状の相違により、開裂溝３５の上、下端部を含む上、下部には、これらの間に位置する中間部よりも破断強度が低い低破断部３５ａが設けられている。
【００３０】
図５Ｂには、エアバッグ３１の展開開始直後の状態が示されている。開裂溝３５の上、下の低破断部３５ａは、これらの間の中間部よりも破断強度が低いから、膨張するエアバッグ３１は、図５Ｂに示す如く、上、下の低破断部３５ａ内を起点として開裂溝３５を破断させ、外部への展開を開始する。
【００３１】
開裂溝３５の破断は、上、下の低破断部３５ａから中間部に進行し、エアバッグ３１は、図５Ｃに示すように、全長が破断した開裂溝３５からカバー板３４を押し広げつつ展開し、最終的に図４に示す展開形状が実現される。以上の展開の過程において、インフレータ３２の噴射ガスは、図５Ｃ中に白抜矢符により示す如く、最初に外部に展開するエアバッグ３１の上、下部に集中するから、エアバッグ３１の上、下部が、夫々上、下方向に向けて速やかに展開を開始し、図４に示す展開形状を確実に実現することができる。
【００３２】
従って、後部座席２上の乗員２０がシートベルト２３を装着していない状態、又は正規の位置に着座していない状態等、乗員２０がアウトオブポジションにある状態で衝突が発生した場合であっても、エアバッグ３１の上、下部の展開を速やかに進行させ、中間部付近の展開を相対的に遅らせることにより、アウトオブポジションにある乗員２０の全身、特に、乗員２０の頭部にダメージを与えることなく良好に保護することができる。
【００３３】
なお、以上の実施の形態においては、開裂溝３５の深さ及び幅を変えているが、深さ及び幅の一方を変えて低破断部３５ａを形成してもよい。また、中央部から上方向及び下方向に向けて連続的に破断強度を低くすることで低破断部３５ａを形成してもよく、上半部及び下半部の夫々中央に低破断部３５ａを設けてもよい。低破断部３５ａの破断強度は、開裂溝３５の深さ又は幅の寸法管理により高精度に設定でき、前述した態様でのエアバッグ３１の展開を確実に行わせることができる。
【００３４】
エアバッグ３１は、ハウジング３０により後側から支えられた状態で膨張展開する。ハウジング３０は、車両の構造部材６に固定されており、エアバッグ３１は、強固な支えの下で膨張展開することが可能である。
【００３５】
（実施の形態２）
次に、前部座席に装備されるエアバッグ装置に係る実施の形態２について説明する。実施の形態２において、実施の形態１と共通する部分の説明は省略する。図６は、実施の形態２に係るエアバッグ装置を備える車両の内部を略示する側面図である。本図には、車室１の床面１０上に設置された前部座席４の座部４１にシートベルト４３を装着して乗員４０が着座した状態が示されている。実施の形態２に係るエアバッグ装置５は、前部座席４の背もたれ４２の一側に組み込まれている。
【００３６】
図７は、図６の VII−VII 線によるエアバッグ装置５の断面図である。本図の上下は、車両の前後に対応している。実施の形態２のエアバッグ装置５は、実施の形態１のエアバッグ装置３と同様、ハウジング５０内に収納されたエアバッグ５１とインフレータ５２とを備える。ハウジング５０は、背もたれ４２の骨格フレーム４４にスタッドボルト５６、５６により固定されている。エアバッグ５１は、適宜に折り畳まれてハウジング５０の内部に収納されており、インフレータ５２は、ハウジング５０の後部に固定されエアバッグ５１に内蔵されている。
【００３７】
ハウジング５０は、背もたれ４２の側面に開口しており、この開口部は、カバー板５４により覆われている。カバー板５４の前部には、上下方向の全長に亘って開裂溝５５が形成されている。エアバッグ５１は、車両の衝突時にインフレータ５２の噴射ガスの作用により膨張し、開裂溝５５を破断して前方に向けて展開する。
【００３８】
図８は、エアバッグが展開した状態を示す側面図である。エアバッグ５１は、背もたれ４２の側部から前方に向けて膨張展開し、前部座席４に着座した乗員４０を側面衝突から保護する。実施の形態２のエアバッグ５１は、実施の形態１のエアバッグ３１と同様、上下方向に長い展開形状を有しており、乗員４０の全身、特に頭部を確実に保護し得るように構成されている。
【００３９】
カバー部材５４に設けた開裂溝５５は、実施の形態１と同様の低破断部を有しており、エアバッグ５１の膨張展開は、低破断部を起点として生じる。従って、エアバッグ５１の上、下部が所定の展開位置に速やかに達し、図８に示す展開形状を確実に実現することができ、乗員４０の全身、特に、頭部を良好に保護することが可能となる。
【００４０】
実施の形態２においては、カバー板５４が背もたれ４２の側面に露出しているが、カバー板５４の外側を背もたれ４２の外装材により覆ってもよい。この場合、外装材の開裂溝５５に対応する位置に破断可能な縫目部分を設け、エアバッグ５１が、縫目部分を更に破断して外部に展開するように構成すればよい。
【００４１】
また、カバー板５４を省略し、背もたれ４２の外装材をエアバッグ５１の収納部を覆うカバー部材としてもよい。この場合、低破断部を有する開裂部を外装材に設け、この開裂部の破断を伴ってエアバッグ５１が展開するように構成される。
【００４２】
更に、以上の実施の形態２においては、エアバッグ５１を収納するハウジング５０を設けているが、ハウジング５０を使用せず、背もたれ４２の側部に設けた凹所をエアバッグ５１の収納部としてもよい。この場合、エアバッグ５１は、骨格フレーム４４等の適宜位置に固定支持したインフレータ５２に結合される。
【００４３】
なお、今回開示された実施の形態は、すべての点で例示であって制限的なものではないと考えられるべきである。本発明の範囲は、上記した意味ではなく、請求の範囲によって示され、請求の範囲と均等な意味および範囲内でのすべての変更が含まれることが意図される。
【符号の説明】
【００４４】
１  車室
２  後部座席（座席）
３  エアバッグ装置
４  前部座席（座席）
５  エアバッグ装置
６  構造部材
２０、４０  乗員
３０、５０  ハウジング（収納部）
３１、５１  エアバッグ
３２、５２  インフレータ
３４、５４  カバー板（カバー部材）
３５、５５  開裂溝（開裂部）
３５ａ  低破断部
【図１】
2020054207.tif 000003
【図２】
2020054207.tif 000004
【図３】
2020054207.tif 000005
【図４】
2020054207.tif 000006
【図５Ａ】
2020054207.tif 000007
【図５Ｂ】
2020054207.tif 000008
【図５Ｃ】
2020054207.tif 000009
【図６】
2020054207.tif 000010
【図７】
2020054207.tif 000011
【図８】
2020054207.tif 000012
【国際調査報告】
2020054207.tif 000013
2020054207.tif 000014
2020054207.tif 000015
2020054207.tif 000016